(57)【要約】【課題】  軸部の軸線方向と異なる方向の外力がプッシュボタンに負荷されても、軸部が傾きにくいプッシュボタンの構造を提供することにある。【解決手段】  機器ケース１０の挿通部１１に摺動自在に取り付けられるプッシュボタン１の軸部３には、複数の防水パッキン５が巻着される。これら防水パッキンは、隣接する防水パッキン間の距離が相互に異なるように分散して配置される。また、これら防水パッキンのうち、２個の防水パッキンは、常に挿通部内に位置するように、プッシュボタンの軸部の軸線に沿って、できる限り距離を開けるように配置されることが好ましい。また、これら防水パッキンのうち、一方の防水パッキンは挿通部における内方寄りに配置され、他方の防水パッキンは挿通部における外方寄りに配置されることが好ましい。【選択図】  図１
2007256067.tif 000002
【特許請求の範囲】
【請求項１】
機器ケースの内部に設けられた接点部を押圧するために機器ケースに移動自在に取り付けられるプッシュボタンの構造であって、
プッシュボタンを挿通するために機器ケースに貫通された挿通部と、
この挿通部に挿通されるプッシュボタンの軸部と、
プッシュボタンの軸部と挿通部の内壁との間に配置される、少なくとも２個の防水パッキンと、
プッシュボタンが押圧される前の初期状態と、
プッシュボタンが所定のストロークだけ押圧された押圧状態と、
を含み、
２個の防水パッキンは、プッシュボタンの初期状態および押圧状態双方において挿通部内に位置するように、プッシュボタンの軸部の軸線に沿って、できる限り距離を開けるように配置されるプッシュボタンの構造。
【請求項２】
機器ケースの内部に設けられた接点部を押圧するために機器ケースに移動自在に取り付けられるプッシュボタンの構造であって、
プッシュボタンを挿通するために機器ケースに貫通された挿通部と、
この挿通部に挿通されるプッシュボタンの軸部と、
プッシュボタンの軸部と挿通部の内壁との間に配置される複数の防水パッキンと、
プッシュボタンが押圧される前の初期状態と、
プッシュボタンが所定のストロークだけ押圧された押圧状態と、
を含み、
一方の防水パッキンは挿通部における機器ケースの内方寄りに配置され、
他方の防水パッキンは挿通部における機器ケースの外方寄りに配置され、
かつ、プッシュボタンの初期状態および押圧状態双方において、一方と他方の防水パッキン双方が挿通部内に位置するプッシュボタンの構造。
【請求項３】
機器ケースの内部に設けられた接点部を押圧するために機器ケースに移動自在に取り付けられるプッシュボタンの構造であって、
プッシュボタンを挿通するために機器ケースに貫通された挿通部と、
この挿通部に挿通されるプッシュボタンの軸部と、
プッシュボタンの軸部と挿通部の内壁との間に配置される、少なくとも３個の防水パッキンと、
を含み、
プッシュボタンの軸部の軸線方向に沿った、隣接する防水パッキン間の距離が相互に異なるように、防水パッキンが軸部に分散して配置されるプッシュボタンの構造。
【請求項４】
請求項１、あるいは２のいずれかに記載されたプッシュボタンの構造であって、
２個の防水パッキンの間に、少なくとも１個の別の防水パッキンが配置され、
プッシュボタンの軸部の軸線方向に沿った、隣接する防水パッキン間の距離が相互に異なるように、防水パッキンが軸部に分散して配置されるプッシュボタンの構造。
【請求項５】
請求項３に記載されたプッシュボタンの構造であって、
複数の防水パッキンが挿通部内に位置する軸部の全体にわたって分散するように配置されるプッシュボタンの構造。
【請求項６】
請求項３、あるいは５のいずれかに記載されたプッシュボタンの構造であって、
挿通部における機器ケースの外方寄りにおいて、隣接する防水パッキン間の距離は、他の隣接する防水パッキン間の距離より短いプッシュボタンの構造。
【請求項７】
請求項１から６のいずれかに記載されたプッシュボタンの構造を備える機器ケース。
【請求項８】
請求項１から６のいずれかに記載されたプッシュボタンの構造を備える腕時計。
【発明の詳細な説明】
【技術分野】
【０００１】
本発明は、時計、特に腕時計、あるいは携帯テレビ、携帯電話、パソコン、ゲーム機などの電子機器における機器ケースに取り付けられるプッシュボタンに関する。
【背景技術】
【０００２】
今までに知られた一般的なプッシュボタンが、図４と図５に示される。
プッシュボタン２０は、使用者の指で押圧操作される頭部としての操作部２を含む。プッシュボタン２０は、さらに、この操作部２から延出された、操作部２より細い棒状の軸部３を含む。
この軸部３は、機器ケース１０に形成された挿通部１１に挿入される。挿通部１１は、機器ケース１０の壁部を平面方向に沿って貫通した部分であり、機器ケース１０の内部と外部とを通じさせる。
【０００３】
図面に沿って説明すれば、機器ケース１０の壁部は、平面方向に沿った貫通孔１０ａによって貫通される。この貫通孔１０ａにパイプ８が挿入される。パイプ８は、接着、カシメ、ロー付け、あるいは溶接などの手段によって、貫通孔１０ａに固定される。プッシュボタン２０の軸部３は、このパイプ８の内部に挿通される。
【０００４】
このように、パイプ８が採用された場合は、パイプ８が挿通部１１となる。パイプ８が採用されず、貫通孔１０ａ内部に軸部３が直接挿通された場合は、貫通孔１０ａが挿通部１１となる。
なお、ここで平面方向とは、図面の左右方向に準ずる。
【０００５】
プッシュボタン２０の内端部分、すなわち軸部３の開放端には、細い小径部３ａが形成される。この小径部３ａには、周面方向に沿った周状溝であるリング用溝３ｂが形成される。このリング用溝３ｂに、パイプ８の内径より大きい外径を備える、止めリング７が装着される。止めリング７は、リング用溝３ｂと隣接したフランジ状の末端部６に支えられる。この止めリング７とパイプ８との当接が、プッシュボタン２０のパイプ８からの抜脱、すなわち挿通部１１からの抜脱を抑止する。
なお、ここで内端とは、プッシュボタン２０における機器ケース１０の内方寄りの端部を示し、図面においては左寄りとなる。外端とは、その逆に機器ケース１０の外方寄りの端部を示し、図面においては右寄りとなる。
【０００６】
プッシュボタン２０の軸部３と、パイプ８、すなわち挿通部１１との内壁との間には、防水パッキン５が介在される。より詳しくは、軸部３には、周面方向に沿った周状溝であるパッキン用溝５が形成される。このパッキン用溝４に、リング状の弾性体である防水パッキン５が巻着される。防水パッキン５は、パッキン用溝４とパイプ８の内壁とに圧接し、パイプ８の内部を通って水や砂などの侵入物が機器ケース１０の内部に侵入することを防ぐ。この防水パッキン５およびパッキン用溝は、パイプ８内に侵入物が極力侵入しないように配慮される結果、パイプ８の外端近傍に配置される。
【０００７】
プッシュボタン２０の操作部２は、使用者の指で押圧され得るように、機器ケース１０の外部、詳しくは挿通部１１であるパイプ８の外方に位置して、機器ケース１０に対して露出する。操作部２の形状は、特に限定されない。たとえば、垂直方向、すなわち図面の上下方向に沿った操作部２の断面形状としては、円、楕円、四角、多角形などが挙げられる。
操作部２と軸部３とは別体であってもかまわない。この場合、操作部２が合成樹脂より
成り、軸部３が金属から成るなどのように、操作部２と軸部３とは異種素材であってもよい。
【０００８】
以上のように機器ケース１０に取り付けられたプッシュボタン２０は、機器ケース１０の内部に向かって押し込まれると、軸部３の末端部６が機器ケース１０内に配置された、図示しない接点部を押圧して、それを導通させる。このように押し込まれた位置、すなわち押圧状態にあるプッシュボタン２０は、撓められた接点部の弾発力によって、押圧される前の元の位置、すなわち初期状態へと復帰する。接点部は、プッシュボタン２０を押圧状態から初期状態へと復帰させる弾発手段を兼ねる。
あるいは、図示されるように、操作部２とパイプ８の外端との間に、弾発手段としてコイルバネ１２が配置されてもよい。この場合、押し込まれたプッシュボタン２０の操作部２によってコイルバネ９が撓められる。この撓められたコイルバネ９の弾発力で、プッシュボタン２０は押圧状態から初期状態へ復帰する。
コイルバネは、機器ケース１０の外壁面と操作部２との間、あるいは機器ケース１０の内壁面と末端部６との間に配置されてもよい。
【０００９】
ところで、このようなプッシュボタン２０には次のような問題がある。
（１）プッシュボタン２０が押圧されるとき、図５に示されるように、軸部３が傾くことがある。すると、防水パッキン５における上部側は、パイプ８の内壁に強く圧接するため、パイプ８との締め代が大きくなる。逆に、防水パッキン５における下部側は、パイプ８の内壁との圧接が弱くなるため、パイプ８との締め代が小さくなる。よって、防水パッキン５における下部側において、防水性が劣化するという問題があった。
なお、ここで、上下とは、図面の上下方向に準ずる。また、図５では、傾く前のプッシュボタンが破線で図示される。よって、図５では、プッシュボタンは、軸部の軸線に対して反時計回りに傾いている。
（２）また、軸部３が傾くと、軸部３の内端部分がパイプ８の内壁に接触する。この状態でプッシュボタン２０が押圧されてパイプ８内を摺動すると、軸部３とパイプ８とが磨耗したり削れたりしてしまうので、これら部品の耐久性が劣化する。
（３）また、軸部３とパイプ８とが削れて発生する切粉が、軸部３とパイプ８との間に詰まると、プッシュボタン２０がパイプ８内を摺動しにくくなる。この結果、プッシュボタン２０の押圧操作が重くなるばかりか、弾発手段によっても押圧状態から初期状態へとプッシュボタン２０がしばしば復帰しなくなる。よって、プッシュボタンの操作性が極めて悪くなる。
（４）さらに、この切粉が機器ケース１０の内部に侵入すると、機器ケース内部に収納された機械的駆動部品や電子的駆動部品の動作にも支障が生じる。
【００１０】
このような問題を解決するため、たとえばプッシュボタンを、外部ボタンと内部ボタンとの２つの部材で構成する構造が提案されている（特許文献１参照）。
【特許文献１】実開昭４９−６９３６１号公報
【発明の開示】
【発明が解決しようとする課題】
【００１１】
しかしながら、この特許文献１で提案される構造は、外部ボタンと内部ボタンという２つの部材を採用するため、構造が複雑になるばかりか、組み立ても容易ではない。
【００１２】
また、上記の問題を少しでも解決するため、複数の防水パッキンを備えるプッシュボタンも知られている。たとえば、図６に示されるプッシュボタン３０は、軸部３に３つのパッキン用溝４ａ、４ｂ、４ｃを備える。これら溝それぞれに防水パッキン５が配置される。
図６に示されるプッシュボタン３０は、複数の防水パッキンがパイプ８の内壁に圧接し
て、傾こうとする軸部３を抑止するため、図５に図示されるプッシュボタン、すなわち防水パッキンを１個のみ備えるプッシュボタン２０と比較すれば傾きにくい。
しかしながら、図６に示されるプッシュボタンも、また、同図に示されるように軸部３が傾くことから免れ得ない。これは、複数の防水パッキン５が、パイプ５の外端寄りに密集しているためである。
【００１３】
図６では、隣接する防水パッキン５間の軸部の軸線に沿った距離が、隣接するパッキン用溝の間の距離として示される。パッキン用溝４ａと４ｂの間の距離Ｌ１と、パッキン用溝４ｂと４ｃの間の距離Ｌ２は等しく設定され、これら複数の防水パッキン５が、パイプ５の外端寄りに密集していることが理解される。
このため、軸部３の外端側、すなわち操作部２に近接した部分では、複数の防水パッキン５とパイプ８との圧接により、軸部３の傾きが抑止されやすい。しかしながら、軸部３の内端側、すなわち機器ケース１０の内部寄りの部分においては、防水パッキンが存在しないため、軸部３の傾きがまったく抑止されない。結果として、軸部３の軸線方向に異なる方向の外力が負荷されれば、軸部３は容易に傾いてしまう。
【００１４】
なお、ここで、軸線とは、軸部３の延出方向であり、図４のようにプッシュボタンが傾いていない図では、平面方向、すなわち図の左右方向と合致する。また、図６では、傾く前のプッシュボタンが破線で図示される。図６では、プッシュボタンは、軸部の軸線に対して反時計回りに傾いている。
【００１５】
本発明の目的は、上記の問題点を解決し、より簡単な構造で、かつ、より確実に、軸部が傾きにくいプッシュボタンを提供することにある。
【課題を解決するための手段】
【００１６】
本発明のプッシュボタンの構造は、
「プッシュボタンの軸部と挿通部の内壁との間に配置される、少なくとも２個の防水パッキンと、プッシュボタンが押圧される前の初期状態と、プッシュボタンが所定のストロークだけ押圧された押圧状態と、を含み、
２個の防水パッキンは、プッシュボタンの初期状態および押圧状態双方において挿通部内に位置するように、プッシュボタンの軸部の軸線に沿って、できる限り距離を開けるように配置される」ものである。
【００１７】
この構成により、軸部の軸線方向と異なる方向の外力がプッシュボタンに負荷されて、プッシュボタンに時計回り方向、あるいは反時計回り方向の回転モーメントが生じようとも、できる限り距離を開けるように配置された２個の防水パッキンが、挿通部の内壁に圧接して、傾こうとするプッシュボタンの軸部を抑止する。
また、２個の防水パッキンは、できる限り距離を開けるように配置されようとも、プッシュボタンの初期状態および押圧状態双方において挿通部内に位置するように配置されているので、プッシュボタンの防水性は確実に保たれる。
これら２個の防水パッキンの間に、少なくとも１個の別の防水パッキンが配置されてもよい。この場合、プッシュボタンの軸部の軸線方向に沿った、隣接する防水パッキン間の距離が相互に異なって、防水パッキンが分散して配置されるとことが、軸部の傾きを抑止するためには好ましい。
【００１８】
また、本発明のプッシュボタンの構造は、
「一方の防水パッキンは挿通部における機器ケースの内方寄りに配置され、
他方の防水パッキンは挿通部における機器ケースの外方寄りに配置され、
かつ、プッシュボタンの初期状態および押圧状態双方において、一方と他方の防水パッキン双方が挿通部内に位置する」ものである。
【００１９】
この構成により、軸部の軸線方向と異なる方向の外力がプッシュボタンに負荷されて、プッシュボタンに時計回り方向、あるいは反時計回り方向の回転モーメントが生じようとも、挿通部における機器ケースの内方寄りと外方寄りそれぞれに配置された防水パッキンが配挿通部の内壁に圧接して、傾こうとするプッシュボタンの軸部を抑止する。
これら２個の防水パッキンの間に、少なくとも１個の別の防水パッキンが配置されてもよい。この場合、プッシュボタンの軸部の軸線方向に沿った、隣接する防水パッキン間の距離が相互に異なって、防水パッキンが分散して配置されるとことが、軸部の傾きを抑止するためには好ましい。
【００２０】
また、本発明のプッシュボタンの構造は、
「プッシュボタンの軸部と挿通部の内壁との間に配置される、少なくとも３個の防水パッキンを含み、プッシュボタンの軸部の軸線方向に沿った、隣接する防水パッキン間の距離が相互に異なるように、防水パッキンが軸部に分散して配置される」ものである。
【００２１】
この構成により、軸部の軸線方向と異なる方向の外力がプッシュボタンに負荷されて、プッシュボタンに時計回り方向、あるいは反時計回り方向の回転モーメントが生じようとも、防水パッキンが従来のように一箇所に密集されるのではなく、分散して配置されるので、これら防水パッキンが配挿通部の内壁に圧接して、傾こうとするプッシュボタンの軸部を抑止する。
これら防水パッキンのうち、２個の防水パッキンは、プッシュボタンの初期状態および押圧状態双方において挿通部内に位置するように、プッシュボタンの軸部の軸線に沿って、できる限り距離を開けるように配置されることが好ましい。
また、これら防水パッキンのうち、一方の防水パッキンは挿通部における機器ケースの内方寄りに配置され、他方の防水パッキンは挿通部における機器ケースの外方寄りに配置されることが好ましい。
【００２２】
また、この場合、複数の防水パッキンが挿通部内に位置する軸部の全体にわたって分散するように配置されることが好ましい。このように軸部に分散して配置された防水パッキンが挿通部の内壁に圧接して、傾こうとするプッシュボタンの軸部を、より確実に抑止する。
さらに、この場合、挿通部の外端寄り、すなわち挿通部における機器ケースの外方寄りにおいて隣接する防水パッキン間の距離は、他の隣接する防水パッキン間の距離より短いことが好ましい。これにより、防水パッキンは、軸部に分散して配置されながらも、挿通部の外端寄りにおいては、挿通部の他の部分より密集することになり、挿通部の外端における防水性を確実に確保する。
よって、これら防水パッキンは、軸部の傾きを抑止しながら、挿通部内に水や砂などの浸入物が侵入することをも確実に防ぐ。
【発明の効果】
【００２３】
本発明によれば、より簡単な構造で、かつ、より確実に、下記の効果を得る。
（１）プッシュボタンの軸部が傾きにくいので、防水パッキンとパイプとの締め代が安定する。よって、常に防水性が確保されるプッシュボタンが提供される。
（２）プッシュボタンの軸部が傾くにくいので、軸部とパイプとが接触しにくい。よって、軸部とパイプとの耐久性が劣化せず、長期にわたって使用できるプッシュボタンが提供される。
（３）プッシュボタンの軸部が傾きにくいので、軸部とパイプとが接触しにくい。よって、操作性が極めて良いプッシュボタンが提供される。
（４）プッシュボタンの軸部が傾きにくいので、軸部とパイプとが接触しにくい。よって、軸部とパイプとの接触に起因する切粉も発生しないので、機器ケースの内部に収納さ
れた機械的駆動部品や電子的駆動部品を切粉の侵入による支障から回避できるプッシュボタンが提供される。
【発明を実施するための最良の形態】
【００２４】
以下、本発明の実施形態が図面に基づいて説明される。なお、前述の従来技術と同じ部品には同じ番号を付することで、それらの部品への説明が省略される。また、本発明は、以下の実施形態に限定されるものではない。
【００２５】
図１は本発明の一実施例に係るプッシュボタンの構造を示す要部断面図、
図２は図１に示すプッシュボタンが傾いた状態を示す要部断面図
図３は図１に示すプッシュボタンを押し込んだ状態を示す要部断面図である。
本発明におけるプッシュボタン１は、従来技術と同じく、操作部２、軸部３、小径部３ａ、および末端部３ｂを含む。これも従来技術と同じく、プッシュボタン１の軸部３は、挿通部１１、すなわち機器ケース１０の貫通孔１０ａに固定されたパイプ８内に挿通される。そして、プッシュボタン１は、リング用溝３ｂに装着された止めリング７によって、パイプ８からの抜脱を抑止される。パイプ８を廃して貫通孔１０ａ内部に軸部３が直接挿通された場合は、貫通孔１０ａが挿通部１１となる。なお、弾発手段としてのコイルスプリング９は、無くてもかまわない。
このように、プッシュボタン１の概要は、操作方法も含めて、従来技術として前述した記載に準じて理解される。
【００２６】
図３において、距離Ｓは、このプッシュボタン１を押し込んだときのプッシュボタン１のストロークを示す。ここで、ストロークとは、プッシュボタン１が機器ケース１０の内部に向けて押圧されたとき、プッシュボタン１が機器ケース１０の内部に向けて移動できる、軸部３の軸線方向に沿った限界移動距離を言う。同図に示されるように、この場合、ストロークＳは、コイルスプリング９の圧縮限界によって規定される。
しかしながら、コイルスプリング９が無い場合、このストロークＳは、操作部２と機器ケース１０との当接、操作部２とパイプ８との当接、あるいは図示しない接点部と末端部６との当接などによっても規定され得る。
【００２７】
このプッシュボタン１は、防水パッキンの配置に特徴がある。
プッシュボタン１の軸部３は、パッキン用溝４ａ、４ｂ、４ｃを備える。第１防水パッキン５ａが溝４ａに、第２防水パッキン５ｂが溝４ｂに、第３防水パッキン５ｃが溝４ｃにそれぞれ配置される。
図１では、隣接する防水パッキン間の軸部３の軸線に沿った距離が、隣接するパッキン用溝の間の距離として示される。すなわち、第１防水パッキン５ａと第２防水パッキン５ｂとの間の距離が、溝４ａと４ｂとの間の距離としてＬ１で図示される。第２防水パッキン５ｂと第３防水パッキン５ｃとの間の距離が、溝４ｂと４ｃとの間の距離としてＬ２で図示される。
隣接する防水パッキン間の距離Ｌ１とＬ２は相互に長さが異なる。距離Ｌ２は距離Ｌ１より長く設定される。距離Ｌ１とＬ２との長さの比較から次のことが理解される。すなわち、図６に示される従来の防水パッキンの配置が一箇所に密集しているのに対して、プッシュボタン１の防水パッキンは、挿通部１１内に位置する軸部３の全体にわたって分散するように配置される。
【００２８】
この構成によって、軸部３の軸線方向に異なる方向の外力がプッシュボタンに負荷されて、プッシュボタン１に時計回り方向、あるいは反時計回り方向の回転モーメントが生じようとも、このように軸部３に分散して配置された防水パッキン５ａ、５ｂ、５ｃが挿通部１１の内壁、すなわちパイプ８の内壁に圧接して、傾こうとするプッシュボタン１の軸部３を抑止する。
たとえば、図２に示されるように、軸部３の軸線方向に異なる方向に沿って極めて大きな外力が操作部２に負荷されれば、プッシュボタン１といえども傾く。図２では、傾く前のプッシュボタンが破線で図示される。よって、図６では、プッシュボタンは、軸部の軸線に対して反時計回りに傾いている。
しかしながら、同図に示されるように、軸部３の傾きは極めてわずかであり、軸３がパイプ８の内壁に接触るまでには至らない。
【００２９】
ここで、図１より、初期状態にあるプッシュボタン１の第３防水パッキン５ｃは、パイプ８の内端より軸部３の軸線に沿ってストロークＳの距離だけ、パイプ８の内部に引っ込んだ位置にあることがわかる。これにより、図３に示されるように、プッシュボタン１が押圧状態へと移行しても、第３防水パッキン５ｃは、挿通部１１内、すなわちパイプ８内に留まる。すべての防水パッキン５ａ、５ｂ、５ｃは、初期状態、押圧状態、あるいはこれら両状態の一方から他方への移行途中にあろうとも、常に、挿通部１１の内部、すなわちパイプ８の内部に位置する。
このように、防水パッキン５ａ、５ｂ、５ｃは、挿通部１１内に位置する軸部３の全体にわたって分散するように配置されながらも、挿通部１１内に常に位置して、プッシュボタン１の防水性を確実に確保する。
なお、第３防水パッキン５ｃは、初期状態において、パイプ８の内端よりストロークＳの距離以上離れて、パイプ８の内部に位置していれば、どのような位置にあってもよい。このようにすれば、第３防水パッキン５ｃは、押圧状態においてもパイプ８の内部に留まることができる。
【００３０】
また、隣接する防水パッキン間の距離において、Ｌ１はＬ２より短く設定される。すなわち、第１防水パッキン５ａと第３防水パッキン５ｃの間に位置する第２防水パッキン５ｂは、第３防水パッキン５ｃより第１防水パッキン５ａに接近して配置される。結果として、軸部３における防水パッキンの密度は、挿通部１１の外端近傍において密であり、挿通部１１の内端近傍において疎となる。あるいは、防水パッキンの数は、挿通部１１における機器ケース１０の外方寄りにおいて多く、挿通部１１における機器ケース１０の内方寄りにおいて少ない。
【００３１】
このように、機器ケース１０にとっての外界に露出される挿通部１１の外端近傍において、防水パッキンが密集して配置されることにより、挿通部１１内部、すなわちパイプ８内部への侵入物の侵入が、確実に防止される。これにより、防水パッキン５ａ、５ｂ、５ｃは、軸部３に密と疎に分散して配置されるので、軸部３の傾きを確実に抑止しながら、かつプッシュボタン１の防水性をも確実に確保する。
【００３２】
さらに、第１防水パッキン５ａと第３防水パッキン５ｃとの距離Ｌ３を考えれば、距離Ｌ３が長ければ長いほど、パッキン５ａと５ｃのパイプ８への圧接によって、プッシュボタン１に生じる回転モーメント、すなわち軸部３の傾きは抑えられる。
しかしながら、プッシュボタン１の防水性を考慮すれば、初期状態、押圧状態、あるいはこれら両状態の一方から他方への移行途中にあろうとも、第１防水パッキン５ａと第３防水パッキン５ｃ双方が、挿通部１１の内部、すなわちパイプ８の内部に常に位置するという条件を満たすことが望まれる。この条件を満たす範囲内において、距離Ｌ３は、できる限り長く設定されることが好ましい。
その結果として、第１防水パッキン５ａは、挿通部１１における機器ケース１０の外方寄り、すなわちパイプ８の外端寄りに配置され、第３防水パッキン５ｃは、挿通部１１における機器ケース１０の内方寄り、すなわちパイプ８の内端寄りに配置される。特に、第３防水パッキン５ｃは、パイプ８の内端より軸部３の軸線に沿ってストロークＳの距離だけ、パイプ８の内部に引っ込んだ位置近傍に位置されることが、最も好ましい。
【００３３】
以上の実施形態は、本発明を説明するための最も単純な例として、３個の防水パッキンを備えるプッシュボタンを例とした。しかしながら、防水パッキンの数は、複数であれば特に限定されず、たとえば４個以上であってもよいことが理解されよう。
また、本発明は、部品それぞれの材質や形状をなんら限定しない。
さらに、防水性を確保する構造、プッシュボタンを挿通部に移動可能に固定する構造、プッシュボタンの挿通部からの抜脱を阻止する構造、あるいはプッシュボタンを初期状態へと復帰させるための弾発手段を構成する構造などについては、当業者であれば適宜変更可能である。
【産業上の利用可能性】
【００３４】
本発明のプッシュボタンの構造は、電子機器、特に屋外で使用されることが多い携帯用電子機器に採用されることにより、顕著な効果を発揮する。しかしながら、塵やホコリなどが侵入し易い家庭用電化製品、製造機械、車両などにも利用可能である。
【図面の簡単な説明】
【００３５】
【図１】本発明の一実施例に係るプッシュボタンの構造を示す要部断面図である。
【図２】図１に示すプッシュボタンが傾いた状態を示す要部断面図である。
【図３】図１に示すプッシュボタンを押し込んだ状態を示す要部断面図である。
【図４】従来のプッシュボタンの構造を示す断面図である。
【図５】従来のプッシュボタンが傾いた状態を示す断面図である。
【図６】別の従来のプッシュボタンが傾いた状態を示す断面図である。
【符号の説明】
【００３６】
１      プッシュボタン
２      操作部
３      軸部
４      パッキン用溝
５      防水パッキン
５ａ    第１防水パッキン
５ｂ    第２防水パッキン
５ｃ    第３防水パッキン
７      止めリング
８      パイプ
９      コイルスプリング
１０    機器ケース
１０ａ  貫通孔
１１    挿通部
２０    プッシュボタン
３０    プッシュボタン
【図１】
2007256067.tif 000003
【図２】
2007256067.tif 000004
【図３】
2007256067.tif 000005
【図４】
2007256067.tif 000006
【図５】
2007256067.tif 000007
【図６】
2007256067.tif 000008